(57)【特許請求の範囲】
【請求項１】
１シンボル長を有するＮＲＺ入力信号系列と、信号品質の劣化要因の逆特性のインパルス応答からオーバーサンプリングによって交互にサンプリングされた第１サブインパルス応答および第２サブインパルス応答とを入力とし、前記信号品質の劣化要因を予等化により補償する予等化送信機であって、
入力された前記ＮＲＺ入力信号系列と、入力された前記第１サブインパルス応答との畳み込み演算により、Ｅｖｅｎ成分の第１予等化信号を生成し、出力するＥｖｅｎ成分用の第１ＦＩＲフィルタと、
前記第１ＦＩＲフィルタに対して並列配置されており、入力された前記ＮＲＺ入力信号系列と、入力された前記第２サブインパルス応答との畳み込み演算により、Ｏｄｄ成分の第２予等化信号を生成し、出力するＯｄｄ成分用の第２ＦＩＲフィルタと、
前記第１ＦＩＲフィルタから入力された前記第１予等化信号および前記第２ＦＩＲフィルタから入力された前記第２予等化信号のそれぞれをアナログ信号に変換し、出力するＤ／Ａコンバータと、
前記Ｄ／Ａコンバータから入力された前記第１予等化信号および前記第２予等化信号を交互に選択することで、１シンボル長に収めたシリアル信号を出力するセレクタと、
光源と、
前記セレクタから入力された前記シリアル信号に基づき、前記光源からの光を光信号にＲＺ変調形式によって変調する光変調器と、
を備えたことを特徴とする予等化光送信機。
【請求項２】
１シンボル長を有するＮＲＺ入力信号系列と、信号品質の劣化要因の逆特性のインパルス応答からオーバーサンプリングによって交互にサンプリングされた第１サブインパルス応答および第２サブインパルス応答とを入力とし、前記信号品質の劣化要因を予等化により補償する予等化送信機であって、
入力された前記ＮＲＺ入力信号系列と、入力された前記第１サブインパルス応答との畳み込み演算により、Ｅｖｅｎ成分の第１予等化信号を生成し、出力するＥｖｅｎ成分用の第１ＦＩＲフィルタと、
前記第１ＦＩＲフィルタに対して並列配置されており、入力された前記ＮＲＺ入力信号系列と、入力された前記第２サブインパルス応答との畳み込み演算により、Ｏｄｄ成分の第２予等化信号を生成し、出力するＯｄｄ成分用の第２ＦＩＲフィルタと、
前記第１ＦＩＲフィルタから入力された前記第１予等化信号および前記第２ＦＩＲフィルタから入力された前記第２予等化信号を交互に選択することで、１シンボル長に収めたシリアル信号を出力するセレクタと、
前記セレクタから入力された前記シリアル信号をアナログ信号に変換し、出力するＤ／Ａコンバータと、
光源と、
前記Ｄ／Ａコンバータから入力された前記シリアル信号に基づき、前記光源からの光を光信号にＲＺ変調形式によって変調する光変調器と、
を備えたことを特徴とする予等化光送信機。
【発明の詳細な説明】
【技術分野】
【０００１】
この発明は、光通信における信号品質劣化要因となる通信路伝送特性の劣化を予等化により補償するための予等化光送信機に関するものである。
【背景技術】
【０００２】
従来から、通信路における伝送特性の劣化に対する補償技術としては、電気領域または光領域での送受信等化が挙げられており、電気領域においては、送信等化（予等化）および受信等化など、光領域においては、分散補償ファイバなどの様々な補償技術が検討されている。
【０００３】
その中でも、電気領域の送信等化技術は、雑音強調を発生させることなく良好な特性が得られる方式であることから、注目されている。
特に、分散補償ファイバを用いた補償においては、ファイバの設置コストおよび設置場所が問題となるが、予等化を用いることにより、分散補償ファイバの設置コスト、設置場所を減らすことができるという利点がある。
【０００４】
また、送信方式には、ＮＲＺ（Ｎｏｎ−Ｒｅｔｕｒｎ  ｔｏ  Ｚｅｒｏ）方式と、ＲＺ（Ｒｅｔｕｒｎ  ｔｏ  Ｚｅｒｏ）方式とがあるが、ＮＲＺよりもＲＺ方式の方が、符号間干渉に強く、また、最大振幅を等しくした場合には、平均パワーを小さく設定することが可能になるという特徴がある。
【０００５】
ただし、ＲＺ方式においては、送信シンボルが必ず「０」を通過するので、ＮＲＺ光送信信号への変調後に、パルスカーバ（Ｐｕｌｓｅ  Ｃａｒｖｅｒ）を用いた時間領域での変調を必要としている。
しかしながら、予等化伝送においては、ＮＲＺ光予等化信号の生成時に、時間領域での信号変調をともなうことから、パルスカーバを用いたＲＺ送信信号変調を適用することは不可能であった。
【０００６】
そこで、上記課題を克服するために、図７に示すようなＲＺ光予等化技術が提案されている（たとえば、非特許文献１参照）。
図７において、従来の予等化光送信機は、ＤＳＰ（Ｄｉｇｉｔａｌ  Ｓｉｇｎａｌ  Ｐｒｏｃｅｓｓｏｒ）３１と、Ｄ／Ａ（Ｄｉｇｉｔａｌ／Ａｎａｌｏｇ）コンバータ３２、３３と、Ｄ／Ａ変換後のアナログ信号に対して高周波回路によるＲＺ変調を行うアナログ処理部３４と、ドライバ３５、３６と、光源３７と、光変調器３８と、を備えている。
【０００７】
まず、ＤＳＰ３１は、予等化処理を行い、ＮＲＺ電気予等化信号を生成する。
アナログ処理部３４内の高周波ミキサは、ＮＲＺ電気予等化信号に対して、両側波帯を合成することにより、周波数領域での変調を施し、ＮＲＺ電気予等化信号をＲＺ電気予等化信号に変換する。
最後に、光変調器３８は、ＲＺ電気予等化信号をＲＺ光予等化信号に変調することにより、ＲＺ方式での予等化を実現する。
【先行技術文献】
【非特許文献】
【０００８】
【非特許文献１】Ｒ．Ｉ．Ｋｉｌｌｅｙ，“Ｍｉｔｉｇａｔｉｏｎ  ｏｆ  Ｔｒａｎｓｍｉｓｓｉｏｎ  Ｉｍｐａｉｒｍｅｎｔｓ  ｉｎ  Ｌｏｎｇ−Ｈａｕｌ  Ｓｕｂｍａｒｉｎｅ  Ｌｉｎｋｓ  Ｕｓｉｎｇ  ＤＳＰ−Ｂａｓｅｄ  Ｅｌｅｃｔｒｏｎｉｃ  Ｐｒｅｄｉｓｔｏｒｔｉｏｎ”，ＩＥＥＥ  ＬＥＯＳ  Ｓｕｍｍｅｒ  Ｔｏｐｉｃａｌｓ  ２００８，ＷＤ２．１，ｐｐ．２４３−２４４．
【発明の概要】
【発明が解決しようとする課題】
【０００９】
従来の予等化光送信機は、非特許文献１に記載の技術によれば、ＲＺ光予等化信号伝送が可能になるものの、ＲＺ変調を行うためにアナログ処理用の付加回路が必要となり、アナログ処理回路には、少なくとも４つの高周波ミキサ、６つの高周波加算器および４つの高周波遅延素子からなる精密なアナログ回路が必要となり、回路サイズ、消費電力およびコストが増大するという課題があった。
【００１０】
この発明は、上記のような課題を解決するためになされたものであり、アナログ処理用の付加回路を用いることなくＲＺ光予等化信号を生成することにより、回路サイズ、消費電力およびコストの低減を実現可能にした予等化光送信機を得ることを目的とする。
【課題を解決するための手段】
【００１１】
この発明に係る予等化光送信機は、１シンボル長を有するＮＲＺ入力信号系列と、信号品質の劣化要因の逆特性のインパルス応答からオーバーサンプリングによって交互にサンプリングされた第１サブインパルス応答および第２サブインパルス応答とを入力とし、前記信号品質の劣化要因を予等化により補償する予等化送信機であって、入力された前記ＮＲＺ入力信号系列と、入力された前記第１サブインパルス応答との畳み込み演算により、Ｅｖｅｎ成分の第１予等化信号を生成し、出力するＥｖｅｎ成分用の第１ＦＩＲフィルタと、前記第１ＦＩＲフィルタに対して並列配置されており、入力された前記ＮＲＺ入力信号系列と、入力された前記第２サブインパルス応答との畳み込み演算により、Ｏｄｄ成分の第２予等化信号を生成し、出力するＯｄｄ成分用の第２ＦＩＲフィルタと、前記第１ＦＩＲフィルタから入力された前記第１予等化信号および前記第２ＦＩＲフィルタから入力された前記第２予等化信号のそれぞれをアナログ信号に変換し、出力するＤ／Ａコンバータと、前記Ｄ／Ａコンバータから入力された前記第１予等化信号および前記第２予等化信号を交互に選択することで、１シンボル長に収めたシリアル信号を出力するセレクタと、光源と、前記セレクタから入力された前記シリアル信号に基づき、前記光源からの光を光信号にＲＺ変調形式によって変調する光変調器と、を備えたものである。
【発明の効果】
【００１２】
この発明によれば、アナログ処理用の付加回路を不要とすることにより、回路サイズ、消費電力およびコストを低減することができる。
【図面の簡単な説明】
【００１３】
【図１】この発明の実施の形態１に係る予等化光送信機の回路構成を示すブロック図である。
【図２】この発明の実施の形態１によるタップ係数設定動作を示す説明図である。
【図３】図２のタップ係数設定を用いて予等化信号を生成する動作を一部ブロック図で示す説明図である。
【図４】この発明の実施の形態１との比較例として従来のＲＺ予等化信号の生成動作をイメージ的に示す説明図である。
【図５】図４の動作を示す説明図である。
【図６】この発明の実施の形態２に係る予等化光送信機の回路構成を示すブロック図である。
【図７】従来の予等化光送信機の回路構成を示すブロック図である。
【発明を実施するための形態】
【００１４】
実施の形態１．
図１はこの発明の実施の形態１に係る予等化光送信機１００の回路構成を示すブロック図である。
図１において、予等化光送信機１００は、並列配置されたＩｃｈ側のＦＩＲ（Ｆｉｎｉｔｅ  Ｉｍｐｕｌｓｅ  Ｒｅｓｐｏｎｓｅ）フィルタ１、２と、並列配置されたＱｃｈ側のＦＩＲフィルタ３、４と、並列配置されたＩｃｈ側のＤ／Ａコンバータ５、６と、並列配置されたＱｃｈ側のＤ／Ａコンバータ７、８と、Ｉｃｈ側のセレクタ９と、Ｑｃｈ側のセレクタ１０と、Ｉｃｈ側のドライバ１１と、Ｑｃｈ側のドライバ１２と、光源１３と、光源１３からの出射光を光信号変調してＲＺ光予等化信号を生成する光変調器１４と、を備えている。光変調器１４は、直交２軸（ＩｃｈおよびＱｃｈ）のＲＺ光予等化信号を合成可能にするための位相調整器１４ａ（π／２）を含む。
【００１５】
予等化光送信機１００は、予等化信号（予等化送信信号）のコンスタレーション（Ｉ−Ｑ  ｃｏｎｓｔｅｌｌａｔｉｏｎ）のＩｃｈおよびＱｃｈに相当する電気信号（極座標平面の実部成分および虚部成分に相当）の生成時に、オーバーサンプリング信号成分を、ＦＩＲフィルタ１〜４を用いた並列処理により生成し、セレクタ９、１０により各並列信号を選択することのみで、ＲＺ予等化信号を生成する。
【００１６】
図１においては、予等化光送信機１００のシンボルレートに対して、２倍のレートでサンプリングして予等化を行う「２倍のオーバーサンプリング」を例とした構成を示している。
したがって、予等化光送信機１００のＩｃｈおよびＱｃｈは、セレクタ９、１０の前段において、２倍のオーバーサンプリングのＥｖｅｎ（偶数）時間予等化信号およびＯｄｄ（奇数）時間予等化信号を並列に処理するために、それぞれ並列のＦＩＲフィルタ１〜４が設けられている。
【００１７】
Ｉｃｎ側の並列のＦＩＲフィルタ１、２（ｅｖｅｎ、ｏｄｄ）による並列予等化処理後に、Ｄ／Ａコンバータ５、６は、並列のアナログ信号を生成する。
同様に、Ｑｃｎ側の並列のＦＩＲフィルタ３、４（ｅｖｅｎ、ｏｄｄ）による並列予等化処理後に、Ｄ／Ａコンバータ７、８は、並列のアナログ信号を生成する。
【００１８】
以下、Ｉｃｎ側のセレクタ９は、送信シンボルレートの半分の周期で、Ｅｖｅｎ時間およびＯｄｄ時間のアナログ信号を選択することにより、２倍のオーバーサンプリングでＲＺ電気予等化信号を生成する。
同様に、Ｑｃｎ側のセレクタ１０は、送信シンボルレートの半分の周期で、Ｅｖｅｎ時間およびＯｄｄ時間のアナログ信号を選択することにより、２倍のオーバーサンプリングでＲＺ電気予等化信号を生成する。
【００１９】
さらに、Ｉｃｈ側およびＱｃｈ側のドライバ１１、１２は、各セレクタ９、１０からのＲＺ電気予等化信号を、光変調器１４の駆動振幅に調整する。
【００２０】
最後に、光変調器１４は、ＩｃｈおよびＱｃｈのＲＺ電気予等化信号に基づき、光源１３からの出射光を光信号変調することにより、ＲＺ光予等化信号を生成する。
なお、図１においては、２倍のオーバーサンプリング時の構成を示したが、３倍以上のオーバーサンプリングに対しても同様に構成可能であることは言うまでもない。
【００２１】
次に、図２および図３を参照しながら、図１に示したこの発明の実施の形態１によるＲＺ光予等化信号の生成動作について説明する。
図２はこの発明の実施の形態１によるタップ係数設定動作を示す説明図であり、図３は図２のタップ係数設定を用いて予等化信号を生成する動作を一部ブロック図で示す説明図である。
【００２２】
図２、図３においては、ＲＺ予等化光送信機のＩｃｈ側のみに注目して、２倍のオーバーサンプリング時の並列のＦＩＲフィルタ１、２のタップ係数の設定値を示している。
図２において、補償対象のインパルス応答１５は、信号品質の劣化要因（伝送路の波長分散や光フィルタなど）の逆特性のインパルス応答信号として示されている。
【００２３】
また、Ｅｖｅｎ成分のサブインパルス応答１６（点線パルス参照）は、インパルス応答１５のＥｖｅｎ時間成分を抜き出したＦＩＲフィルタ１（ｅｖｅｎ）用のインパルス特性として示されている。
同様に、Ｏｄｄ成分のサブインパルス応答１７（実線パルス参照）は、インパルス応答１５のＯｄｄ時間成分を抜き出したＦＩＲフィルタ２（ｏｄｄ）用のインパルス特性として示されている。
【００２４】
この発明の実施の形態１においては、ＲＺ光予等化信号を生成するために、オーバーサンプリング数に応じた並列のＦＩＲフィルタ１、２のタップ係数として、各サブインパルス応答１６、１７で示すように、補償用のインパルス応答１５をオーバーサンプリング数に応じた刻みでサンプリングした値を用いる。
【００２５】
すなわち、並列のＦＩＲフィルタ１、２（ｅｖｅｎ、ｏｄｄ）のタップ係数として、信号品質の劣化要因の逆特性のインパルス応答から、オーバーサンプリング間隔でずらしてサンプリングしたサブインパルス応答を用いる。
図２においては、インパルス応答１５が各サブインパルス応答１６、１７を含み、オーバーサンプリング数が「２」の場合に、並列のＦＩＲフィルタ１、２のタップ係数として、交互にサンプリングした状態を示している。
【００２６】
なお、ここでは、信号品質の劣化要因の一例として、伝送路の波長分散や光フィルタを考慮したが、伝達関数表記が可能な劣化要因に対しては、他のいずれの場合であっても、上述と同様にＲＺ光予等化信号を生成する予等化処理が可能である。
【００２７】
図３においては、図２のタップ係数設定動作が、Ｉｃｈ側の予等化回路（ＦＩＲフィルタ１、２、Ｄ／Ａコンバータ５、６、セレクタ９）とともに示されている。
図３において、ＮＲＺ入力信号系列１８は１シンボル長Ｔを有し、ＦＩＲフィルタ１、２は、それぞれＥｖｅｎ成分およびＯｄｄ成分の畳み込み演算を行う。
【００２８】
このとき、図２のように交互にサンプリングされたサブインパルス応答１６、１７は、それぞれ、Ｅｖｅｎ成分用およびＯｄｄ成分用のＦＩＲフィルタ１、２のタップ係数に用いられる。
Ｅｖｅｎ用のＦＩＲフィルタ１は、ＮＲＺ入力信号系列１８とサブインパルス応答１６（Ｅｖｅｎ用タップ係数）との畳み込み演算により、Ｅｖｅｎ成分の予等化信号１９を生成する。
【００２９】
同様に、Ｏｄｄ用のＦＩＲフィルタ２は、ＮＲＺ入力信号系列１８とサブインパルス応答１７（Ｏｄｄ用タップ係数）との畳み込み演算により、Ｏｄｄ成分の予等化信号２０を生成する。
Ｄ／Ａコンバータ５、６は、ＦＩＲフィルタ１、２から生成されたＥｖｅｎ成分およびＯｄｄ成分の予等化信号１９、２０をアナログ信号に変換する。
【００３０】
セレクタ９は、Ｄ／Ａコンバータ５、６からの並列のアナログ信号に対して、１シンボル長の半周期Ｔ／２の切換タイミングでオーバーサンプリングを行い、Ｅｖｅｎ成分用およびＯｄｄ成分用のアナログ信号を交互に選択することにより、ＲＺ予等化信号２１を生成する。
【００３１】
すなわち、ＲＺ予等化信号２１は、２倍のオーバーサンプリング時にセレクタ９によって選択され、図３のように、Ｅｖｅｎ成分およびＯｄｄ成分が時系列に並んだパルス信号として取得される。
【００３２】
このように、信号品質劣化要因（波長分散や光フィルタなど）の逆特性のインパルス応答１６、１７を、オーバーサンプリング刻みで、並列のＦＩＲフィルタ１、２のタップ係数として用いることにより、Ｉｃｈ側のＲＺ予等化信号２１が生成される。
同様に、Ｑｃｈ側の予等化回路（ＦＩＲフィルタ３、４、Ｄ／Ａコンバータ７、８、セレクタ１０）においても、上述と同様に、Ｑｃｈ側のＲＺ予等化信号が生成される。
【００３３】
なお、ＲＺ予等化信号２１は、ＮＲＺ入力信号系列１８のシンボル変調方式（ＢＰＳＫ、ＱＰＳＫ、１６ＱＡＭなど）の違いに関わらず、図３のように、並列のＦＩＲフィルタ１、２からの出力信号をセレクタ９によって１シンボル長Ｔ内に配置する構成を適用することにより、生成可能である。
【００３４】
また、ここでは、１つのチャネルに対する並列のＦＩＲフィルタ１、２の数（オーバーサンプリング数）を「２」に設定したが、これに限定されることはなく、オーバーサンプリング数を「３」以上に設定してもよい。
【００３５】
次に、上記実施の形態１との比較例として、図４および図５を参照しながら、従来のＲＺ予等化光送信機による動作について説明する。
図４は従来のＲＺ予等化信号の生成動作をイメージ的に示す説明図であり、従来の予等化変調構成を示している。
図５は図４内の直列ＦＩＲフィルタ２２のＲＺ信号入力時の動作を示す説明図である。
【００３６】
図４において、従来のＲＺ予等化光送信機は、直列ＦＩＲフィルタ２２を備えており、直列ＦＩＲフィルタ２２への入力信号は、ＲＺ入力信号２３からなっている。
直列ＦＩＲフィルタ２２は、２倍のオーバーサンプリングのタップ係数を保持し、タップ係数として、信号品質劣化要因の逆特性のインパルス応答１５（図２内の補償用のインパルス応答１５）を用いるものとする。
【００３７】
図５において、直列ＦＩＲフィルタ２２は、インパルス応答１５に含まれるＥｖｅｎ成分（点線パルス参照）のタップ係数の乗算回路２３と、インパルス応答１５に含まれるＯｄｄ成分（実線パルス参照）のタップ係数の乗算回路２４と、各乗算回路２３、２４の算出結果を加算する加算器２５と、Ｅｖｅｎ時間およびＯｄｄ時間において交互にＲＺ信号の「０値」が入力される乗算器２６ａ、２６ｂ（黒枠参照）と、を備えている。
【００３８】
ＲＺ信号が直列ＦＩＲフィルタ２２に入力される場合、図５のように、Ｅｖｅｎ時間とＯｄｄ時間とで、ＲＺ信号の値が入力される乗算回路２６ａ、２６ｂがそれぞれ異なる。
これにより、図５のように、直列ＦＩＲフィルタ２２において、Ｅｖｅｎ時間では、信号品質劣化要因の逆特性のインパルス応答１５のＥｖｅｎ成分（図２内のＥｖｅｎ成分のサブインパルス応答１６）が畳み込まれ、Ｏｄｄ時間では、信号品質劣化要因の逆特性のインパルス応答１５のＯｄｄ成分（図２内のＯｄｄ成分のサブインパルス応答１７）が畳み込まれる。
【００３９】
直列ＦＩＲフィルタ２２による上記動作は、この発明の実施の形態１（図１〜図３）による並列のＦＩＲフィルタ１〜４のＥｖｅｎ成分とＯｄｄ成分とにおける畳み込み演算と同様の畳み込み演算処理を時系列で実行していることと等価である。
【００４０】
つまり、図１〜図３において、ＮＲＺ入力信号を並列配置されたＦＩＲフィルタ１〜４に入力し、ＦＩＲフィルタ１〜４およびセレクタ９、１０による予等化処理によってＲＺ予等化信号が生成可能であることを示している。
【００４１】
したがって、この発明の実施の形態１（図１）のように、並列のＦＩＲフィルタ１〜４およびセレクタ９、１０を用いた回路構成により、ＲＺ予等化信号の生成が可能であり、従来構成（図４、図５、図７）と比較して、ＲＺ化のための付加回路を必要とせず、回路サイズ、消費電力およびコストを小さく抑制することが可能となる。
【００４２】
以上のように、この発明の実施の形態１（図１〜図３）に係る予等化光送信機は、信号品質の劣化要因を予等化により補償するために、並列配置されて予等化信号を生成するＦＩＲフィルタ１〜４と、予等化信号をアナログ信号に変換するＤ／Ａコンバータ５〜８と、並列信号を１シンボル長に収めたシリアル信号に変換するセレクタ９、１０と、光源１３と、シリアル信号に基づき、光源１３からの光を光信号に変調する光変調器１４と、を備えている。
【００４３】
Ｄ／Ａコンバータ５〜８は、ＦＩＲフィルタ１〜４とセレクタ９、１０との間に挿入されており、並列配置されたＦＩＲフィルタ１〜４からの各予等化信号をアナログ信号に変換する。
セレクタ９、１０は、Ｄ／Ａコンバータ５〜８からのアナログ信号をシリアル信号に変換する。
【００４４】
並列配置されたＦＩＲフィルタ１〜４は、各々のタップ係数として、信号品質の劣化要因の逆特性のインパルス応答１５から、オーバーサンプリング間隔でずらしてサンプリングしたサブインパルス応答１６、１７を用いる。
これにより、アナログ処理用の付加回路を用いることなくＲＺ光予等化信号を生成することが可能となり、回路サイズ、消費電力およびコストを低減することができる。
【００４５】
実施の形態２．
なお、上記実施の形態１（図１）では、ＦＩＲフィルタ１〜４とセレクタ９、１０との間にＤ／Ａコンバータ５〜８を挿入したが、図６のように、ＦＩＲフィルタ１〜４とＤ／Ａコンバータ５Ａ、７Ａとの間にセレクタ９Ａ、１０Ａを挿入してもよい。
図６はこの発明の実施の形態２に係る予等化光送信機１００Ａの回路構成を示すブロック図であり、前述（図１参照）と同様のものについては、前述と同一符号を付して、または符号の後に「Ａ」を付して詳述を省略する。
【００４６】
図６において、予等化光送信機１００Ａは、並列配置されたＦＩＲフィルタ１〜４と、Ｉｃｈ側のＦＩＲフィルタ１、２からのデジタルデータを選択するセレクタ９Ａと、Ｑｃｈ側のＦＩＲフィルタ３、４からのデジタルデータを選択するセレクタ１０Ａと、セレクタ９Ａからのデジタルデータをアナログ信号に変換するＤ／Ａコンバータ５Ａと、セレクタ１０Ａからのデジタルデータをアナログ信号に変換するＤ／Ａコンバータ７Ａと、ドライバ１１、１２と、光源１３と、光変調器１４と、を備えている。
【００４７】
この場合、セレクタ９Ａ、１０Ａは、ＦＩＲフィルタ１〜４からの並列のデジタル信号を選択し、Ｄ／Ａコンバータ５Ａ、７Ａは、並列のデジタル信号をアナログ信号に変換する。
なお、ＦＩＲフィルタ１〜４へのタップ係数の設定値選択処理および光変調部１４の処理動作については、前述の実施の形態１と同様である。
また、図６においても、前述と同様に、２倍のオーバーサンプリング時の回路構成を示しているが、２倍以上のオーバーサンプリングに対しても構成可能である。
【００４８】
以上のように、この発明の実施の形態２（図６）によれば、セレクタ９Ａ、１０Ａは、ＦＩＲフィルタ１〜４とＤ／Ａコンバータ５Ａ、７Ａとの間に挿入されており、並列配置されたＦＩＲフィルタ１〜４からの各予等化信号をシリアル信号に変換する。
Ｄ／Ａコンバータ５Ａ、７Ａは、セレクタ９Ａ、１０Ａからのシリアル信号をアナログ信号に変換する。
上記回路構成においても、光変調器１４から最終的に生成られるＲＺ光予等化信号は、前述と同様であり、前述と同様の作用効果を奏する。
【符号の説明】
【００４９】
１〜４  ＦＩＲフィルタ、５〜８、５Ａ、７Ａ  Ａ／Ｄコンバータ、９、１０、９Ａ、１０Ａ  セレクタ、１１、１２  ドライバ、１３  光源、１４  光変調器、１６、１７  サブインパルス応答、１８  入力信号系列、１９  Ｅｖｅｎ成分の予等化信号、２０  Ｏｄｄ成分の予等化信号、２１  ＲＺ予等化信号、１００、１００Ａ  予等化光送信機。
【図１】
0005713776.tif 000002
【図２】
0005713776.tif 000003
【図３】
0005713776.tif 000004
【図４】
0005713776.tif 000005
【図５】
0005713776.tif 000006
【図６】
0005713776.tif 000007
【図７】
0005713776.tif 000008